(57)【要約】  【課題】  保護層の２次電子放出係数を高め、且つ、保護層上に電荷を保持し易いという２つの性能を両立することのできるＰＤＰを提供する。  【解決手段】  前面ガラス基板４０１及び背面ガラス基板４１１が放電空間を挟んで並設され、前面ガラス基板４０１の背面ガラス基板４１１と対向している面上に、対をなす表示電極４０２と、対をなす表示電極４０２を覆う誘電体層４０６とが形成され、対をなす表示電極４０２に沿って、複数の放電セルが点在するプラズマディスプレイパネルであって、誘電体層４０６の表面には、保護層４０７が形成されており、保護層４０７上には、対をなす表示電極４０２同士で挟まれる第１領域、及び／または、各表示電極４０２上の一部を占める第２領域において、電荷の移動を抑制する電荷移動防止層４１０が形成されている。  【選択図】  図１
2006012539.tif 000002
【特許請求の範囲】
【請求項１】
第１基板及び第２基板が放電空間を挟んで並設され、前記第１基板の前記第２基板と対向している面上に、対をなす第１電極及び第２電極と、当該第１電極及び第２電極を覆う誘電体層とが形成され、対をなす第１電極及び第２電極に沿って、複数の放電セルが点在するプラズマディスプレイパネルであって、
前記誘電体層の表面には、保護層が形成されており、
前記保護層上には、第１電極と第２電極とで挟まれる第１領域、及び／または、第１電極及び第２電極上の一部を占めるの第２領域において、電荷の移動を抑制する電荷移動防止層が形成されていることを特徴とするプラズマディスプレイパネル。
【請求項２】
前記電荷移動防止層は、前記保護層よりも抵抗値が高いことを特徴とする請求項１に記載のプラズマディスプレイパネル。
【請求項３】
前記電荷移動防止層は、パターニングされていることを特徴とする請求項２に記載のプラズマディスプレイパネル。
【請求項４】
前記第１電極及び前記第２電極は、帯状であって、
前記電荷移動防止層は、前記第１領域における短手方向の両縁部近傍に沿ってライン状に形成されていることを特徴とする請求項３に記載のプラズマディスプレイパネル。
【請求項５】
前記第１電極及び前記第２電極は、帯状であって、
前記電荷移動防止層は、前記第１領域における中央部近傍に沿ってライン状に形成されていることを特徴とする請求項３に記載のプラズマディスプレイパネル。
【請求項６】
前記電荷移動防止層は、さらに、前記第２領域内においてライン状に形成されていることを特徴とする請求項４または５に記載のプラズマディスプレイパネル。
【請求項７】
前記電荷移動防止層は、ほぼセル全体にわたって形成されていることを特徴とする請求項４または５に記載のプラズマディスプレイパネル。
【請求項８】
前記電荷移動防止層は、前記第１電極及び前記第２電極の伸長方向へ、隣接する他のセルとの境界を跨ぐように形成されていることを特徴とする請求項４または５に記載のプラズマディスプレイパネル。
【請求項９】
前記電荷移動防止層は、前記第１電極及び前記第２電極の伸長方向へと隣接する他のセルとの境界部近傍に、終端部を有することを特徴とする請求項４または５に記載のプラズマディスプレイパネル。
【発明の詳細な説明】
【技術分野】
【０００１】
本発明は、プラズマディスプレイパネル（以下、「ＰＤＰ」という。）に関し、特に、保護層における電荷保持機能を向上させる技術に関する。
【背景技術】
【０００２】
近年、コンピュータやテレビ等に用いられているディスプレイ装置において、プラズマディスプレイパネル（以下、「ＰＤＰ」という。）は、大型で薄型軽量化を実現することのできるディスプレイデバイスとして注目されている。
図１５は、一般的な交流型（ＡＣ型）ＰＤＰ２１００の概略図である。
ＰＤＰ２１００は、互いに主面を対向させて配設された前面板２０９０および背面板２０９１から構成される。
【０００３】
前面板２０９０は、前面ガラス基板２１０１と、表示電極２１０２と、誘電体層２１０６と、保護層２１０７とからなる。
前面ガラス基板２１０１は、前面板２０９０のベースとなる基板で、この前面ガラス基板２１０１上に透明電極２１０３と、バス電極２１０５とからなる表示電極２１０２が形成されている。
【０００４】
表示電極２１０２及び前面ガラス基板２１０１は、誘電体層２１０６で覆われ、さらに、保護層２１０７によって覆われている。
背面板２０９１は、背面ガラス基板２１１１と、アドレス電極２１１２と、誘電体層２１１３と、隔壁２１１４と、隣接する隔壁２１１４どうしの間隙（以下、「隔壁溝」という。）の壁面に形成された蛍光体層２１１５とからなる。
【０００５】
前面板２０９０及び背面板２０９１は、図１４に示すように、重ねられた状態でその周囲を未図示の封止材により封着され、内部に放電空間２１１６が形成される。
放電空間２１１６には、放電ガスが封入されている。
隣り合う一対の表示電極２１０２と１本のアドレス電極２１１２とが、放電空間２１１６を挟んで交叉する領域の近傍が画像表示に寄与するセルとなる。
【０００６】
上述のように、１つのセルを横切る表示電極は２つあり、その一方をＸ電極、他方をＹ電極と呼び、これら電極が交互に並んでいる。
放電空間２１１６では、維持放電により紫外線が発生し、発生した紫外線が蛍光体層２１１５に照射されることにより、この紫外線が可視光に変換され、セルが点灯し、画像が表示される。
【０００７】
このようなＰＤＰにおいては、同サイズの液晶ディスプレイやＣＲＴに比べ、消費電力が大きいため、消費電力低減化の要請がある。
そこで、保護層に格子欠陥を導入したり、不純物をドープしたり、金属粉末を添加することにより、保護層の２次電子放出係数を向上させ、保護層表面から放電空間に電荷を放出し易くして、放電開始電圧を低減させるＰＤＰがある。（例えば、特許文献１）
一方、保護層においては、書き込み放電時に形成される壁電荷を保持する機能が必要となる。
【特許文献１】特開２００４−３１２６４号公報
【発明の開示】
【発明が解決しようとする課題】
【０００８】
しかしながら、特許文献１のＰＤＰでは、保護層の２次電子放出係数が高まる反面、表面抵抗値が低くなるため、図１６に示すように、保護層表面に存在している電荷が、異極側に移動して電荷が中和され、電荷保持機能が低下するという問題がある。
本発明は、このような問題を解決しようとなされたものであって、保護層の２次電子放出係数を高め、且つ、保護層上に電荷を保持し易いという２つの性能を両立することのできるＰＤＰを提供することを目的とする。
【課題を解決するための手段】
【０００９】
上記目的を達成するために、本発明は、以下を特徴とする。
（１）第１基板及び第２基板が放電空間を挟んで並設され、前記第１基板の前記第２基板と対向している面上に、対をなす第１電極及び第２電極と、当該第１電極及び第２電極を覆う誘電体層とが形成され、対をなす第１電極及び第２電極に沿って、複数の放電セルが点在するプラズマディスプレイパネルであって、前記誘電体層の表面には、保護層が形成されており、前記保護層上には、第１電極と第２電極とで挟まれる第１領域、及び／または、第１電極及び第２電極上の一部を占めるの第２領域において、電荷の移動を抑制する電荷移動防止層が形成されていることを特徴とする。
（２）前記（１）のプラズマディスプレイパネルにおいて、前記電荷移動防止層は、前記保護層よりも抵抗値が高い。
（３）前記（２）のプラズマディスプレイパネルにおいて、前記電荷移動防止層は、パターニングされている。
（４）前記（３）のプラズマディスプレイパネルにおいて、前記第１電極及び前記第２電極は、帯状であって、前記電荷移動防止層は、前記第１領域における短手方向の両縁部近傍に沿ってライン状に形成されている。
（５）前記（３）のプラズマディスプレイパネルにおいて、前記第１電極及び前記第２電極は、帯状であって、前記電荷移動防止層は、前記第１領域における中央部近傍に沿ってライン状に形成されている。
（６）前記（４）または（５）のプラズマディスプレイパネルにおいて、前記電荷移動防止層は、さらに、前記第２領域内においてライン状に形成されている。
（７）前記（４）または（５）のプラズマディスプレイパネルにおいて、前記電荷移動防止層は、ほぼセル全体にわたって形成されている。
（８）前記（４）または（５）のプラズマディスプレイパネルにおいて、前記電荷移動防止層は、前記第１電極及び前記第２電極の伸長方向へ、隣接する他のセルとの境界を跨ぐように形成されている。
（９）前記（４）または（５）のプラズマディスプレイパネルにおいて、前記電荷移動防止層は、前記第１電極及び前記第２電極の伸長方向へと隣接する他のセルとの境界部近傍に、終端部を有する。
【発明の効果】
【００１０】
一般に、２次電子放出係数の値が大きい材料は、放電空間に電荷を放出し易い反面、壁電荷の移動が生じ易い。
保護層がこのような２次電子放出係数の大きな材料からなる場合であっても、上記（１）の構成により、第１領域、及び／または、第２領域に、電荷移動防止層が形成されているので、前記保護層上における電荷の移動が抑制され、電荷を保持することができる。
【００１１】
また、第１電極及び第２電極上の前記第２領域外の領域には、電荷移動防止層が形成されていないので、その領域の保護層では、本来の２次電子放出性能が発揮されることとなる。
これにより、保護層の２次電子放出係数を高め、且つ、保護層上に電荷を保持し易いという２つの性能を両立することができる。
【００１２】
また、上記（２）の構成により、前記保護層よりも抵抗値が高い材料で前記電荷移動防止層を形成することにより、電荷を保持し易くすることができる。
また、上記（３）の構成により、電荷の移動経路及び電界強度分布状況に応じて、電荷の移動を妨げるに効果的な形状で電荷移動防止層を形成することができる。
また、書き込み放電時において、電荷は、電極上に集中して存在するので、その状態を維持放電開始時まで保持することが望ましいが、上記（４）及び（５）の構成により、電荷移動防止層が第１電極及び第２電極を遮断する位置に形成されているため、効果的に電荷の移動が抑制される。
【００１３】
さらに、（４）の構成では、以下の効果を奏する。
書き込み放電完了時における、電荷が密な領域と、疎な領域との境界部の一部が、前記第１領域における短手方向の両縁部にある。
このため、この境界部に電荷移動防止層を設けることによって、電荷の移動が抑制され、より電荷形成時の初期状態を保ち易くなる。
【００１４】
また、さらに、上記（５）の構成により、以下の効果が奏される。
即ち、前記第１領域と隣り合う領域内の前記第１領域における短手方向の両縁部の近傍は、イオン衝撃が大きな箇所であるため、磨耗の激しい箇所である。
このため、前記第１領域における短手方向の両縁部の近傍は、上記磨耗の影響を受け易い。
【００１５】
これに対し、前記第１領域における中央部近傍は、イオン衝撃が大きな箇所からもっとも遠ざかる箇所であるため、上記磨耗の影響を受け難い。
また、上記（６）の構成により、前記電極近傍の外方へと移動する電界の移動を抑制することができる。
また、上記（７）の構成により、前記電荷移動防止層がセルの一部にしか形成されていない場合よりも、より電荷の移動を抑制することができる。
【００１６】
また、上記（８）の構成により、セル境界を経由して電荷が移動することが抑制される。
また、上記（９）の構成により、電荷の移動が起こり易いセル中央部に少なくとも電荷移動防止層が形成されていることになるので、電荷の移動が効果的に抑制される。
【発明を実施するための最良の形態】
【００１７】
＜実施の形態１＞
＜構成＞
本発明の実施の形態について、図面を参照しながら詳細に説明する。
＜構成＞
図１は、本発明の実施の形態におけるＰＤＰ４００の概略図である。
【００１８】
ＰＤＰ４００は、互いに主面を対向させて配設された前面板３９０および背面板３９１から構成される。
図中、ｚ方向がＰＤＰの厚み方向、ｘｙ平面がＰＤＰ面に平行な平面に相当する。
前面板３９０は、前面ガラス基板４０１と、表示電極４０２と、誘電体層４０６と、保護層４０７と、電荷移動防止層４１０とからなる。
【００１９】
前面ガラス基板４０１は、前面板３９０のベースとなる基板で、この前面ガラス基板４０１上に表示電極４０２が形成されている。
表示電極４０２は、透明電極４０３と、バス電極４０５とからなる。
透明電極４０３は、前面ガラス基板４０１上の片面に、ｘ方向を長手方向として、ＩＴＯ，ＳｎＯ2，ＺｎＯ等の導電性金属酸化物を列状に複数形成したものである。
【００２０】
ここで、１つのセルに着目したとき、このセル内を横切る表示電極４０２は２つ存在し、その一方をＸ電極、他方をＹ電極と呼び、これらの電極が交互に並んでいる。
バス電極４０５は、Ａｇを含む導電性材料を透明電極４０３上に積層したものである。
誘電体層４０６は、前面ガラス基板４０１の表示電極４０２が形成された表面全体を覆う誘電物質からなる層であって、一般的に、鉛系低融点ガラスが用いられているが、ビスマス系低融点ガラス、或は鉛系低融点ガラスとビスマス系低融点ガラスの積層物で形成しても良い。
【００２１】
保護層４０７は、酸化マグネシウム（ＭｇＯ）からなる薄膜であって、誘電体層４０６の表面全体を覆っている。
この保護層４０７の２次電子放出係数を高めるため、保護層４０７に格子欠陥を導入したり、不純物をドープしたり、金属粉末を添加してもよい。
電荷移動防止層４１０は、保護層に比べて表面を電荷が移動しにくい性質を有する材料からなる２本の帯状の絶縁薄膜（以下、「電荷移動防止層４１０ａ及び電荷移動防止層４１０ｂ」という。）であって、図２に示すように、保護層４０７表面上の対をなす透明電極４０３同士に挟まれる領域内の当該領域短手方向の両縁部近傍において、透明電極４０３と平行に形成されている。
【００２２】
材料の具体例としては、保護層４０７よりも抵抗値の高い、ＳｉＮ、ＳｉＯ2、ＢａＯまたはＳｒＯなどが挙げられる。
ちなみに、対をなす各表示電極４０２におけるセル中央側の縁部上に位置する保護層４０７表面では、他の箇所よりも維持放電が活発に起こるため、イオン衝撃によるダメージが大きく、保護層表面が磨耗する恐れがある。
【００２３】
このため、電荷移動防止層４１０は、保護層４０７表面の上記縁部直上を避けた場所に配置されることが望ましい。
背面板３９１は、背面ガラス基板４１１と、アドレス電極４１２と、誘電体層４１３と、隔壁４１４と、隣接する隔壁４１４どうしの間隙に形成される隔壁溝の壁面に積層された蛍光体層４１５からなる。
【００２４】
背面ガラス基板４１１は、背面板３９１のベースとなる基板であって、この背面ガラス基板４１１上にアドレス電極４１２が形成される。
アドレス電極４１２は、金属電極（例えば、銀電極あるいはＣｒ−Ｃｕ−Ｃｒ電極）であって、背面ガラス基板４１１上の片面に、ｙ方向を長手方向として、Ａｇを含む導電性材料を列状に複数形成したものである。
【００２５】
誘電体層４１３は、アドレス電極４１２が形成された側の背面ガラス基板４１１の全面を覆うように形成された誘電物質からなる層であって、一般的に、鉛系低融点ガラスが用いられているが、ビスマス系低融点ガラス、或は鉛系低融点ガラスとビスマス系低融点ガラスの積層物で形成しても良い。
また、この誘電体層４１３上には、隣接するアドレス電極４１２の間隔に合わせて隔壁４１４が形成される。
【００２６】
そして、隣接する隔壁４１４どうしの間隙により形成される隔壁溝の壁面には、ＲＧＢのいずれかに対応する蛍光体層４１５が形成されている。
より具体的には、この蛍光体層４１５は、放電された紫外線により赤、緑、青のそれぞれ異なる波長の光を発光する３種があり、隔壁溝の内壁に、赤、緑、青の蛍光体の順で繰り返し塗布されている。
【００２７】
前面板３９０及び背面板３９１は、図１に示すように、重ねられた状態で封着され、内部に放電空間４１６が形成されている。
放電空間４１６には、Ｈｅ、Ｘｅ、Ｎｅなどの希ガス成分からなる放電ガス（封入ガス）が５００〜６００Ｔｏｒｒ（６６．５〜７９．８ｋＰａ）程度の圧力で封入されている。
【００２８】
隣り合う一対の表示電極４０２と１本のアドレス電極４１２とが放電空間４１６を挟んで交叉する領域が、画像表示に寄与するセルとなる。
点灯させようとするセルのＸ電極とアドレス電極４１２間に電圧が印加されてアドレス放電がなされた後に、隣り合う２つの表示電極４０２の組にパルス電圧が印加されることにより維持放電がなされる。
【００２９】
この維持放電により紫外線（波長約１４７ｎｍ）が発生し、発生した紫外線が蛍光体層４１５に当たることにより、可視光に変換され、セルが点灯することにより、画像が表示される。
＜電荷移動防止層の効果＞
図３に示すように、電荷移動防止層４１０が、保護層４０７上において、対をなす表示電極４０２同士で挟まれている領域上の短手方向両縁部に沿って、２本設けられ、電荷の移動経路上に抵抗値の大きな領域が設けることとなるため、上記領域上を電荷が移動し難くすることができ、電荷を保護層４０７表面に保持することができる。
【００３０】
保護層４０７に、２次電子放出係数を高める目的で、例えば、金属粉末が添加されている場合、保護層４０７表面の抵抗率の値が低下し、金属粉末が添加されていない場合よりも電荷が移動し易い。
保護層４０７の表面において、電荷が移動すると電荷が中和され、発光に寄与する電荷の量が減少し、未発光や輝度の低下などが生じる。
【００３１】
なお、上述のように金属粉末が保護層４０７に添加されていても、保護層４０７が絶縁体であることに変わりなく、電荷が内部を移動することはないため、保護層表面で遊離した電荷は、表面でのみ移動可能な状態にある。
＜確認試験＞
発明者らは、電荷移動防止層４１０の電荷の移動防止効果を確認するために、電荷移動防止層４１０の幅を変化させて、放電開始電圧及び駆動電力を測定した。
（試験方法）
保護層４０７表面上の対をなす表示電極４０２同士で挟まれている領域（以下、「間隙領域」という。）の短手方向両縁部に、表示電極４０２と平行する２本の電荷移動防止層４１０を設け、それぞれの幅をセル中心方向に次第に増やしていった。
（試験品仕様）
１．電荷移動防止層の仕様
材料：  ＳｉＮ  又は、ＳｉＯ2
厚み：１μｍ
幅：間隙領域の中央に向かって徐々に拡大。
２．保護層の仕様
材料：ＭｇＯ
厚み：１μｍ
金属粉末含有率：１００ｐｐｍ
金属粉末の材料：Ｃｒ
金属粉末の粒子径：０．３μｍ
（試験結果）
図４に示すように、２本の電荷移動防止層の面積／間隙領域の面積×１００で定義される値、即ち、表示電極４０２同士で挟まれている領域に対する電荷移動防止層４１０の面積割合（％）（以下、「被覆率」という。）を横軸に、また、放電開始電圧（Ｖ）を縦軸にとり、試験結果をプロットすると、バスタブ曲線を描く。
【００３２】
放電開始電圧が低減される効果が有効に発揮されるのは、図の斜線部の範囲、即ち、上記被覆率が７％以上９０％以下（好ましくは、２５％以上７５％以下）の範囲となった。
また、図５に示すように、横軸に被覆率、駆動電力を縦軸にとり、試験結果をプロットすると、図４と同様にバスタブ曲線を描く。
駆動電力（Ｗ）が低減される効果が有効に発揮されるのは、上記被覆率が２５％以上８０％以下（好ましくは、３０％以上６０％以下）の範囲となった。
【００３３】
したがって、これらの結果を考慮すると、駆動電力及び放電開始電圧が低減される被覆率としては、２５％以上８０％以下（好ましくは、４０％以上６０％以下）の範囲となる。
以上のように、本実施の形態のＰＤＰ４００によれば、図３に示すように、電荷移動防止層が、保護層上において、対をなす表示電極同士で挟まれている領域上の短手方向両縁部に沿って、２本設けられ、電荷の移動経路上に電荷の移動を防止する領域が設けられることとなるため、上記領域を電荷が横断し難くすることができる。
【００３４】
このため、電荷を保護層表面に保持することができ、放電開始電圧の低減ならびに駆動電力の低減を図ることができる。
なお、保護層に上述のような２次電子放出係数を高める処理が行われていない場合であっても、電荷移動防止層を保護層表面に設けることによって、保護層表面に電荷を保持し易いという効果を奏することは言うまでもない。
【００３５】
また、本実施の形態では、電荷移動防止層は、保護層上において、対をなす表示電極同士で挟まれている領域上の短手方向両縁部に、抵抗値の高い２本の電荷移動防止層が表示電極と平行に設けられているが、このような形状に限らず、表示電極の間における電荷の移動を抑制することができるように、表示電極４０２間、あるいは表示電極４０２上を覆い、かつ、表示電極４０２上に被覆しない領域を残すようにすれば、電荷移動防止層の形状は、どのようなものであっても構わない。
【００３６】
以下、電荷移動防止層の別形状の一例を列挙する。
（変形例１）
本実施の形態におけるＰＤＰ４００では、電荷移動防止層４１０が保護層４０７の周縁部まで連続的に形成されていたが、図６に示された、別仕様のＰＤＰ５００のように、電荷移動防止層６１０（電荷移動防止層６１０ａ及び６１０ｂ）が不連続に形成されていてもよい。
【００３７】
この例では、対をなす電荷移動防止層６１０ａ及び６１０ｂの不連続部分同士が近づかないように設けられている。
このような構成により、この不連続部分を介して電荷が移動しようとしても、電荷の中和に至るまでの移動経路が長くなり、抵抗値が増加するため電荷の移動が起こり難くなる。
（変形例２）
本実施の形態におけるＰＤＰ４００では、電荷移動防止層４１０は、間隙領域に電荷移動防止層４１０ａ及び電荷移動防止層４１０ｂの２本が形成されていたが、図７に示された、別仕様のＰＤＰ６０１のように、電荷移動防止層６２０が、電荷移動防止層６１０ａ、６１０ｂ及び６１０ｃの３本の構成、または、それを超える本数の構成であっても構わない。
【００３８】
このような構成により、電荷の中和に至るまでの移動経路上の抵抗値が増加するため電荷の移動が起こり難くなる。
（変形例３）
本実施の形態におけるＰＤＰ４００では、電荷移動防止層４１０は、間隙領域にしか形成されていなかったが、図８に示された、別仕様のＰＤＰ６０２のように、電荷移動防止層６２０が、間隙領域では、電荷移動防止層６２０ａ、６２０ｂが、２本の透明電極４０３の直上領域（以下、「直上領域」という。）では、それぞれ電荷移動防止層６２０ｃ及び６２０ｄが形成されていても構わない。
【００３９】
このような構成により、電荷の中和に至るまでの移動経路上の抵抗値が増加するため電荷の移動が起こり難くなる。
（変形例４）
図９に示された、別仕様のＰＤＰ６０３のように、電荷移動防止層６４０が、間隙領域では、電荷移動防止層６４０の１本で形成されていても構わない。
【００４０】
この例では、電荷の中和に至るまでの移動経路上の抵抗値を増加させるために、電荷移動防止層６４０の幅は、本実施の形態におけるＰＤＰ４００では、電荷移動防止層４１０よりも太く形成されている。
（変形例５）
図１０に示された、別仕様のＰＤＰ６０４のように、電荷移動防止層６５０が、セルの境界近傍において不連続となっていても構わない。
（変形例６）
図１１に示された、別仕様のＰＤＰ６０５のように、電荷移動防止層６６０が、間隙領域では、電荷移動防止層６６０ａの１本形成され、さらに、直上領域でに、それぞれ６６０ｂ及び６６０ｃが形成されていても構わない。
（変形例７）
図１２に示された、別仕様のＰＤＰ６０６のように、電荷移動防止層６７０が、間隙領域では、セル中央部において、不連続部分を有し、即ち、電荷移動防止層６７０ａ及び６７０ｂとからなる２部構成となっていても構わない。
（変形例８）
図１３に示された、別仕様のＰＤＰ６０７のように、電荷移動防止層６８０が、間隙領域において、クランク状に屈曲してもよい。
（変形例９）
図１４に示された、別仕様のＰＤＰ６０８のように、電荷移動防止層６９０が、間隙領域において、ジグザグ状に屈曲してもよい。
【産業上の利用可能性】
【００４１】
本願発明は、テレビジョン及びコンピュータ用モニタなどに用いられる表示デバイスに適用可能である。
【図面の簡単な説明】
【００４２】
【図１】本実施の形態におけるＰＤＰの概略斜視図である。
【図２】本実施の形態におけるＰＤＰの保護層表面の拡大図である。
【図３】本実施の形態における保護層表面での電荷の保持状況を説明する図である。
【図４】被覆率と放電開始電圧との関係を示した図である。
【図５】被覆率と駆動電力との関係を示した図である。
【図６】電荷移動防止層の変形例１を説明する図である。
【図７】電荷移動防止層の変形例２を説明する図である。
【図８】電荷移動防止層の変形例３を説明する図である。
【図９】電荷移動防止層の変形例４を説明する図である。
【図１０】電荷移動防止層の変形例５を説明する図である。
【図１１】電荷移動防止層の変形例６を説明する図である。
【図１２】電荷移動防止層の変形例７を説明する図である。
【図１３】電荷移動防止層の変形例８を説明する図である。
【図１４】電荷移動防止層の変形例９を説明する図である。
【図１５】従来の交流型（ＡＣ型）ＰＤＰの概略図である。
【図１６】従来のＰＤＰにおける、保護層表面での電荷の保持状況を説明する図である。
【符号の説明】
【００４３】
３９０    前面板
３９１    背面板
４００    ＰＤＰ
４０１    前面ガラス基板
４０２    表示電極
４０３    透明電極
４０５    バス電極
４０６    誘電体層
４０７    保護層
４１０    電荷移動防止層
４１０ａ  電荷移動防止層
４１０ｂ  電荷移動防止層
４１１    背面ガラス基板
４１２    アドレス電極
４１３    誘電体層
４１４    隔壁
４１５    蛍光体層
４１６    放電空間
５００、６０１、６０２、６０３、          ＰＤＰ
６０４、６０５、６０６、６０７、６０８    ＰＤＰ
６１０、６１０ａ、６１０ｂ              電荷移動防止層
６２０、６２０ａ、６２０ｂ、６２０ｃ    電荷移動防止層
６３０ａ、６３０ｂ、６３０ｃ、６３０ｄ  電荷移動防止層
６４０、６５０                          電荷移動防止層
６６０、６６０ａ、６６０ｂ、６６０ｃ    電荷移動防止層
６７０、６７０ａ、６７０ｂ              電荷移動防止層
６８０、６９０                          電荷移動防止層
【図１】
2006012539.tif 000003
【図２】
2006012539.tif 000004
【図３】
2006012539.tif 000005
【図４】
2006012539.tif 000006
【図５】
2006012539.tif 000007
【図６】
2006012539.tif 000008
【図７】
2006012539.tif 000009
【図８】
2006012539.tif 000010
【図９】
2006012539.tif 000011
【図１０】
2006012539.tif 000012
【図１１】
2006012539.tif 000013
【図１２】
2006012539.tif 000014
【図１３】
2006012539.tif 000015
【図１４】
2006012539.tif 000016
【図１５】
2006012539.tif 000017
【図１６】
2006012539.tif 000018